(57)【要約】【課題】開発期間、開発コストを低減する。【解決手段】ゴルフクラブヘッドを一次設計するステップ、該ゴルフクラブヘッドをコンピュータでモード解析を行い振動特性を取得するステップ、前記ゴルフクラブヘッドを試作するステップ、試作されたゴルフクラブヘッドの打球音を採取し評価するステップ、前記打球音と前記振動特性とに基づいて、打球音を向上させるヘッド改良点を特定するステップ、及び前記改良点を適用してゴルフクラブヘッドを二次設計するステップを含むことを特徴とするゴルフクラブヘッドの設計方法である。【選択図】  図２
2005006763.tif 000002
【特許請求の範囲】
【請求項１】
ゴルフクラブヘッドを一次設計するステップ、
該ゴルフクラブヘッドをコンピュータでモード解析を行い振動特性を取得するステップ、
前記ゴルフクラブヘッドを試作して打球音を採取するステップ、
前記打球音と前記振動特性とに基づいて、打球音を向上させる改良点を特定するステップ
及び前記改良点を適用してゴルフクラブヘッドを二次設計するステップを含むことを特徴とするゴルフクラブヘッドの設計方法。
【請求項２】
前記改良点を特定するステップは、打球音から改善したい音の周波数帯を特定するステップと、
該音の発生要因となる部位を前記振動特性から推定するステップと、
前記推定された部位の少なくとも厚さを変更するステップとを含むことを特徴とする請求項１記載のゴルフクラブヘッドの設計方法。
【請求項３】
前記二次設計されたゴルフクラブヘッドを試作に先立ちコンピュータ上でモード解析を行い振動特性を取得するステップと、
改善前後の振動特性を比較して前記打球音の向上効果を確認するステップとをさらに含むことを特徴とする請求項１又は２記載のゴルフクラブヘッドの設計方法。
【請求項４】
前記振動特性は、周波数伝達関数及び振動モード図を含むことを特徴とする請求項１乃至３のいずれかに記載のゴルフクラブヘッドの設計方法。
【請求項５】
前記打球音を採取するステップは、ゴルフクラブヘッドにシャフトを装着してゴルフクラブを試作するステップ、
前記ゴルフクラブでゴルフボールを打撃するステップ、及び前記打撃時の音をマイクロフォンにて採取するステップを含み、
かつ前記マイクロフォンは、アドレスしたゴルファの耳の高さでかつゴルフボールと前記耳との間の水平距離を、前記ゴルフボールからゴルファと反対側に隔てた位置に設置されることを特徴とする請求項１乃至３に記載のゴルフクラブヘッドの設計方法。
【請求項６】
請求項１乃至５のいずれかに記載の設計方法により設計されたゴルフクラブヘッドを製造することを特徴とするゴルフクラブヘッドの製造方法。
【発明の詳細な説明】
【０００１】
【発明の属する技術分野】
本発明は、打球音に優れたゴルフクラブヘッドを能率的に製造するのに役立つゴルフクラブヘッドの設計方法及び製造方法に関する。
【０００２】
【従来の技術】
近年のゴルフクラブヘッドは金属製のものが主流となっており、これに伴い各部の厚さの変更ないし調節等が容易に行え、ヘッド体積の大型化や最適な重量配分設計等がなされている。このようなゴルフクラブヘッドは、スイートエリアの拡大による打球の方向安定性の向上や、反発係数の増大による飛距離の向上等が高いレベルで実現されつつある。また昨今では、このような打球の方向性や飛距離の増大のみならず、ゴルフボールを打球したときの打球フィーリング、とりわけ打球音について、多くのゴルファに良い印象を与えるよう種々改善が行われている。先行する技術としては例えば下記の特許文献がある。
【０００３】
【特許文献１】
特開２００１−１９０７１６号公報
【特許文献２】
特開２００１−２３１８９２号公報
【特許文献３】
特開平１０−１７９８２０号公報
【０００４】
【発明が解決しようとする課題】
特許文献１では、プリプレグシートと金属材料とを複合した複合へッドにおいて、ゴルフクラブヘッドの打球音の音圧レベルを一定値に規制することを教えている。また特許文献２では、ある一定条件で測定された打球音の騒音レベルの最大値を規制することを教えている。さらに特許文献３では、フェース部に所定の熱処理を施した金属材料を用いることにより、パーシモンのような柔らかい打球音を得ることを教える。
【０００５】
ところで、打球音に優れたヘッドを製造するためには、ゴルフクラブヘッドを実際に設計し、しかる後それを試作して実際に試打テストを行い、打球音を確かめるというサイクルを繰り返すことになる。しかしながら、このような開発方法は、必ずしも効率が良いものではなく、開発期間ないし開発コストを増大させる傾向がある。
【０００６】
本発明は、以上のような問題点に鑑み案出なされたもので、設計効率を高め、開発期間の短縮化、開発コストの低減などを図るのに役立つゴルフクラブヘッドの設計方法及び製造方法を提供することを目的としている。
【０００７】
【課題を解決するための手段】
本発明のうち請求項１記載の発明は、ゴルフクラブヘッドを一次設計するステップ、該ゴルフクラブヘッドをコンピュータでモード解析を行い振動特性を取得するステップ、前記ゴルフクラブヘッドを試作して打球音を採取するステップ、前記打球音と前記振動特性とに基づいて、打球音を向上させる改良点を特定するステップ及び前記改良点を適用してゴルフクラブヘッドを二次設計するステップを含むことを特徴とするゴルフクラブヘッドの設計方法である。
【０００８】
また請求項２記載の発明は、前記改良点を特定するステップは、打球音から改善したい音の周波数帯を特定するステップと、該音の発生要因となる部位を前記振動特性から推定するステップと、前記推定された部位の少なくとも厚さを変更するステップとを含むことを特徴とする請求項１記載のゴルフクラブヘッドの設計方法である。
【０００９】
また請求項３記載の発明は、前記二次設計されたゴルフクラブヘッドを試作に先立ちコンピュータ上でモード解析を行い振動特性を取得するステップと、改善前後の振動特性を比較して前記打球音の向上効果を確認するステップとをさらに含むことを特徴とする請求項１又は２記載のゴルフクラブヘッドの設計方法である。
【００１０】
また請求項４記載の発明は、前記振動特性は、周波数伝達関数及び振動モードを含むことを特徴とする請求項１乃至３のいずれかに記載のゴルフクラブヘッドの設計方法である。
【００１１】
また請求項５記載の発明は、前記打球音を採取するステップは、ゴルフクラブヘッドにシャフトを装着してゴルフクラブを試作するステップ、前記ゴルフクラブでゴルフボールを打撃するステップ、及び前記打撃時の音をマイクロフォンにて採取するステップを含み、かつ前記マイクロフォンは、アドレスしたゴルファの耳の高さでかつゴルフボールと前記耳との間の水平距離を、前記ゴルフボールからゴルファと反対側に隔てた位置に設置されることを特徴とする請求項１乃至３に記載のゴルフクラブヘッドの設計方法である。
【００１２】
また請求項６記載の発明は、請求項１乃至５のいずれかに記載の設計方法により設計されたゴルフクラブヘッドを製造することを特徴とするゴルフクラブヘッドの製造方法である。
【００１３】
【発明の実施の形態】
以下本発明の実施の一形態を図面に基づき説明する。
図１（Ａ）は、ゴルフクラブヘッド１の一例を示す斜視図、図２はゴルフクラブヘッドの設計方法の一例を示すフローチャートである。本実施形態のゴルフクラブヘッドの設計方法では、打球音に優れたゴルフクラブヘッド１を能率良く設計しうるもので、以下順に説明する。
【００１４】
本実施形態のゴルフクラブヘッドの設計方法では、先ずゴルフクラブヘッド（以下、単に「ヘッド」ということがある。）の一次設計が行われる（ステップＳ１）。本形態では、ウッド型のヘッド１を設計する場合を示す。該ヘッド１は、図１（Ａ）に示すように、ボールを打撃するフェース２と、前記フェース部２の上縁に連なりかつヘッド上面をなすクラウン部３と、前記フェース部２の下縁に連なりヘッド底面をなすソール部４と、前記クラウン部３とソール部４との間をフェース面のトウ側縁からヒール側縁までのびヘッド側面を形成するサイド部５と、図示しないシャフトが装着されるネック部６とを具え、内部を中空構造とした金属製のものが例示される。
【００１５】
前記「一次設計」とはゴルフクラブヘッド１の第１回目の設計案であることを単に意味しており、この段階でゴルフクラブヘッド１が試作可能な程度に各部の寸法、厚さ、使用する材料等が決定される。一次設計の具体的な方法は、特に限定されないが、例えば次のような工程を経て行うのが能率的である。
【００１６】
先ず、２次元のヘッドの基本デザインを机上又はコンピュータ上で決定し、これをＣＡＤアプリケーションソフト（例えばＳＯＮＹ社製「ｆｒｅｓｄａｍ」）等を用いて３次元のヘッドを形作るデータに展開する。この段階では、外観形状（表面輪郭形状）のみが特定され、各部の厚さ重量などは考慮しなくても良い。次に、コンピュータの中に取り込まれた３次元化のヘッドデータに、具体的に各部の厚さ、その材料特性（比重、弾性率など）を定義する。このような具体的なパラメータが決定されると、該ヘッドの重量、重心位置、慣性モーメント等を計算することができる。そして、希望するヘッド重心位置、慣性モーメントとなるように、各部の厚さと形状とを適宜調節する。このような一次設計手法は、比較的容易にヘッド１の三次元形状を決定するのに役立つ。
【００１７】
次に、一次設計されたヘッド１をコンピュータでモード解析を行い、その振動特性を取得する（ステップＳ２）。モード解析は、解析アプリケーションソフト（例えばＨＫＳ社製「ＡＢＡＱＵＳ」）を用いて行われる。具体的には、一次設計されたデータに基づき、図１（Ｂ）に示すように、ヘッドを小さな有限個２ａ、２ｂ、２ｃ…の要素に分割した解析モデル１Ａを定義する。
【００１８】
解析モデル１Ａの要素には、例えばシェル要素及び／又は４ないし６面体ソリッド要素などが用いられる。該解析モデルＩＡの作成は、プリプロセッサなどを用いて自動化することができる。要素の頂点は節点と呼ばれ、隣接する他の要素と共有され、全体として関連づけられた一つのヘッド解析モデル（メッシュモデル）ＩＡが構築される。解析精度を高めるためには、各要素の１辺の長さを１ｍｍ程度とするのが望ましい。また各要素には、節点の座標、弾性率、ポアソン比、比重などの情報が個々に与えられる。
【００１９】
次に解析モデル１Ａを用いてモード解析が行われる。モード解析（固有値解析）は、通常ヘッドを糸で空中にぶら下げ、これをインパクトハンマーで打撃し、ヘッドに広い周波数帯で振動を与えこれを測定するものであるが、本発明ではこのようなモード解析を、前記解析モデル１Ａを用いた有限要素法に基づいてコンピュータシミュレーションにより行う。モード解析では、解析モデル１Ａの剛性の低い部分は低い周波数で、剛性の高い部分は高い周波数でそれぞれ振動が現れる。モード解析時に入力されるデータとしては、シェル要素については材料の弾性率、ポアソン比、厚さ（肉厚）が、またソリッド要素の場合には材料の弾性率、ポアソン比が入力される。モード解析によって、求められた振動数と振動ベクトルとを用いて。解析ソフトからヘッド各部の振動形状を求める。
【００２０】
図３には、モード解析を行った結果として、ヘッドのイナータンスと、周波数との関係を示す周波数伝達関数のグラフ、図４〜図１０は、図３の代表的なピーク周波数についての振動モード図を示している。図４ないし１０において、等高線は振動ベクトルの大きさがほぼ同じ領域を示している。そして、等高線の中心に近づくほど振動ベクトルの大きさが大であることを意味している。
【００２１】
このように、一次設計されたデータを利用して解析モデル１Ａを定義し、これを用いてモード解析を行うことにより、ヘッド１を実際に試作する前に、該ヘッドにつての振動特性を把握することができる。またこのモード解析は、コンピュータ上のシミュレーションとして行われることにより、作業者による実作業を皆無とするため労力を大幅に削減することができる。なお必要に応じて、この振動特性が明らかに満足ゆくものでない場合には、一次設計をやり直すことは勿論可能である。
【００２２】
次に、前記一次設計されたヘッドを実際に試作し、その打球音を採取、評価する（ステップＳ３〜Ｓ５）。ヘッドは、一次設計案に従って試作される。本実施形態では、ロストワックス精密鋳造法によりチタン合金製のヘッド１が製造される。鋳造されたヘッド１は、例えばフェース部材と、このフェース部材を前面に配するヘッド本体とに分けて成形され、両者を溶接により固着するとともに、適宜ベルトサンダーにより研磨処理等を行ない一次設計案通りにヘッド１を製造する。
【００２３】
また該ヘッドの打球音の測定は、例えば次のステップにて行うことができる。先ず試作されたヘッド１にシャフトを装着してゴルフクラブを試作し、このゴルフクラブを用いて、実際のゴルフボールを打撃する打撃テストを行う。そして、打撃時の音をマイクロフォンにて採取する。図１１には、このような打球音を測定する好ましい条件を示す。
【００２４】
打撃テストを行う場所は、屋内、屋外を問わないが、好適には屋外としかつ半径５０ｍ以内に音を反射させるような遮蔽物がなくかつ無風の状況で行うのが好ましい。またゴルファｇにも特に制限は無いが、好適には身長１６０〜１８０ｃｍ程度、打球時のヘッドスピードが３８〜４８ｍ／ｓ程度の標準的なアベレージゴルファが望ましい。ゴルフボールｂは、ゴルフ競技に使用できるものであれば特に限定はされない。また打球音は、ヘッドスピードの大小、スイングのくせ、ゴルフボール（糸巻き、ソリッドの別）などによっては、実質的に変化しないが、ボールを打撃するフェース部の位置によっては変化することがある。このため、打点位置が残るショットマーク（これの有無によっても打球音は実質的に変化しない。）をヘッド１のフェース面に貼着し、フェース中心から半径５ｍｍの円の中に打点の中心が入った場合の打球音を採取するのが望ましい。
【００２５】
打球音は、マイクロフォンｍにより採取される。マイクロフォンｍの設置位置によって採取される音が異なるため、マイクロフォンｍの設置位置は重要である。発明者らは、マイクロフォンｍの設置位置と打球音の再現性との関係について実験を行った。先ず図１２、図１３に示すように、複数の位置に設置したマイクロフォンで打球音を採取、記録し、それぞれの音をテストゴルファｇに聴かせて最も記憶している打球音に近いと感じるものを選んだ。テストは、６名のテストゴルファにより行った。テストの結果を表１に示すが、テストの結果より、図１１に示したマイクロフォンｍの位置が最も実際の打球音に近い音を採取しうることが判明した。本実施形態では、このような実験結果に基づいてマイクロフォンｍの設置位置を定めた。
【００２６】
【表１】
2005006763.tif 000003
【００２７】
マイクロフォンｍは、図１１に示す如く、具体的にはアドレスしたゴルファｇの耳の高さでかつゴルフボールｂと前記耳との間の水平距離ｃを、前記ゴルフボールｂからテストゴルファｇと反対側に隔てた位置に設置される。またマイクロフォンｍは、音採取部をゴルフボールｂに向けて傾けるか又は水平として設置される。前記マイクロフォンｍは、例えば１／２インチ又は１／４インチコンデンサ型マイクロフォン（測定周波数：０〜１００ｋＨｚ、フィルター特性：フラット又はＡ型、測定音圧：０〜１３０ｄＢを満たすものが好ましく、例えばリオン社製精密騒音計ＮＬ−１５がこれを満たす）が好適である。また打球音の音圧校正は、精密音圧発生器（２５０Ｈｚ、１１４ｄＢ）にて行った。なお周波数補正は行わない。
【００２８】
またマイクロフォンｍから採取された音は、記憶媒体に記録される。本例ではデジタル録音とし、ＤＡＴやハードディスクなどの記憶媒体に記録される。デジタル録音は、例えばサンプリング周波数４４ｋＨｚ  、周波数帯域０〜２０ｋＨｚ  、量子化ビット１６ビットとした。録音時間は打球音が発生する時間（大凡０．０５秒）よりも長ければ良く、通常はスイング開始からスイング終了までの連続した３ないし４秒間に設定するのが望ましい。
【００２９】
録音された打球音は、信号処理装置を用いて周波数分析が行われる。図１４に示すように、周波数分析により、打球音のパワースペクトルを得ることができる。表２には、本実施形態で使用した計測機器の一覧を示す。
【００３０】
【表２】
2005006763.tif 000004
【００３１】
打球音の評価（ステップＳ５）は、例えば記録した打球音をアンプを介してヘッドフォン又はスピーカにて再生し、これを評価者の耳で聞いて行う。評価の基準としては、「音の高さ」、「残響長さ」、「音の強さ」、「好み」等を挙げることができ、それぞれの基準について５段階で評価しうる。ここで、打球音の評価が良好であるとの評価が得られた場合（ステップＳ６でＹ）、直前の設計案（ここでは一次設計案）を採用し、この案に従ってゴルフクラブヘッド１を製造する（ステップＳ１２）。これにより、打球音の良好なヘッド１が製造できる。
【００３２】
一方、一次設計されたヘッド１の打球音の評価結果において、例えば音が低すぎ、またそれが好ましくないこと等が判明した場合（ステップＳ６でＮ）、この打球音と前記振動特性とに基づいて、打球音を向上させる改良点を特定する（ステップＳ７）。改良点を特定するためには、先ず打球音から改善したい音の周波数帯を特定し、該音の発生要因となる部位を前記モード解析により得られた振動特性から推定する。
【００３３】
そして、この推定された部位の厚さを変更することが比較的簡単である。例えば本例の場合、打球音の低音化を防止するためには、ヘッド１から低い周波数の振動成分を取り除くことが必要である。モード解析の周波数伝達関数を精査すると、図３から低周波数域では周波数３０４８Ｈｚにピークがあることが分かる。また、この振動モードは、図４（Ａ）、（Ｂ）に示されるように、ヘッド１のソール部で生じていることが分かる。従って、打球音の好ましくない低音成分は、このソール部の振動が主な原因であることが推察できる。このように、本発明では改善したい周波数帯が分かれば、その音の発生要因を容易に特定できるため、必要に応じてその部位の厚さを増減することができ打球音の改善を容易になしうる。
【００３４】
本実施形態では、このようなヘッド改良点が特定できると、この改良点を適用してヘッドの二次設計が行われる（ステップＳ８）。「二次設計」とは、単に一次設計の結果を利用しつつその後に行われる設計工程を意味している。この二次設計では、前記の如くソール部の低周波数域での振動を防止するための構造変更が主な設計事項となる。具体的には、ソール部の厚さを増大させること、ソール部の面積を減じること、及び／又はソール部に他の材料を複合化すること等により、ソール部の剛性を高めることが行われる。
【００３５】
次に本実施形態では、前記二次設計されたヘッドを試作にするに先立ち、この二次設計のヘッドについて、コンピュータ上で前回同様のモード解析を行い振動特性を取得する処理が行われる（ステップＳ９）。二次設計されたヘッドのモード解析結果として、図１５には、イナータンスと周波数との関係を示す周波数伝達関数を、また図１６ないし図２１には、図１５の代表的なピークにおける振動モード線図をそれぞれ示している。このような処理を、試作に先立って行うことにより、二次設計の妥当性及び効果を予め確認しかつ評価することができるため、設計工程を能率化できる。
【００３６】
次に本実施形態では、改善前後の振動特性を比較して前記打球音の向上効果を確認する（ステップＳ１０）。図３と図１５との比較から明らかなように、二次設計のヘッドでは、３８９７Ｈｚに最も周波数の小さいピークが移行していることが分かる。さらに図２２には、一次設計と二次設計とのモード解析結果において、周波数伝達関数のピーク周波数の比較を示す。一次設計の振動モードの丸付数字２、３、５、６、８及び１０は、二次設計の振動モードの丸付数字１、２、４、６、８及び９にそれぞれ移行しており、いずれも周波数が大きくなっていることが分かる。これらの結果より、二次設計のヘッドは、打球音の低音化防止に十分効果があることが推察できる。
【００３７】
また、図２４、図２５には、改善前後の打球音についてのウェーブレット解析結果を示す。各グラフにおいて、縦軸は、中心周波数（Ｈｚ）、横軸は時間（秒で打球の瞬間から０．０８秒まで）を示す。また色彩は、白い部分ほど音圧が高いことを示している。本ウェーブレット解析では、縦軸が２００Ｈｚを基準として１／１２オクターブづつの分解能でで６オクターブ分を解析している。１オクターブは基準とした周波数の２倍の周波数である。各解析周波数Ｎは、次の計算式により得られる。
【数１】
2005006763.tif 000005
【００３８】
図２４の改善前の結果では、４７９５Ｈｚ帯で音圧が高く約０．０１６秒程度しか持続（残響）していない。これに対して、図２５の改善後の結果では、４５２５Ｈｚ帯及び６４００Ｈｚ帯といった比較的高い周波数帯で各々０．０２４秒、０．０３１秒以上持続（反響）しており、人によって心地よいと感じられた音が長く続いていることが分かる。
【００３９】
次に、二次設計のヘッドにおいて改善効果が認められた場合（ステップＳ１１でＹ）、ステップＳ３に戻り、該二次設計のヘッドの試作、打球音の採取、評価（ステップＳ３〜５）を行う。図２３には、二次設計案で試作されたヘッド１の打球音のパワースペクトルを示し、鎖線は一次設計のそれを示す。この実際の打球音のパワースペクトルからも明らかなように、打球音の周波数は高音域側にシフトしていることが確認できる。そして、打球音が満足のゆくものであれば（ステップＳ６でＹ）、直前の設計案（本例では二次設計案）で打球音が良好なヘッド１を製造することができる。なおこの二次設計案でも満足のゆく打球音が得られなかった場合には、再びステップＳ７以降を繰り返し、三次設計などが行われる。
【００４０】
上記実施形態では、打球音の低音化を改善する例を示したが、これとは逆に高音化を改善することもでき、また中音域を強調させるなど種々の改良を行いうるのは言うまでもない。
【００４１】
【発明の効果】
上述したように、請求項１記載の発明では、ヘッドを一次設計するステップ、該ヘッドをコンピュータでモード解析を行い振動特性を取得するステップ、前記ヘッドを試作して打球音を採取するステップ、前記打球音と前記振動特性とに基づいて、打球音を向上させる改良点を特定するステップ及び前記改良点を適用してヘッドを二次設計するステップを含むことにより、打球音に優れたゴルフクラブヘッドを能率的に設計しうる。また、実際の打球音とモード解析との両結果を用いることによって、打球音の改良点を容易に特定することができる。これは、開発期間を短縮するのに役立つ。
【００４０】
また請求項２記載の発明のように、前記改良点を特定するステップは、打球音から改善したい音の周波数帯を特定するステップと、該音の発生要因となる部位を前記振動特性から推定するステップと、前記推定された部位の少なくとも厚さを変更するステップとを含むときには、より簡単な工程で改良点を特定することができる。
【００４１】
また請求項３記載の発明のように、二次設計されたヘッドを試作に先立ちコンピュータ上でモード解析を行い振動特性を取得するステップと、改善前後の振動特性を比較して前記打球音の向上効果を確認するステップとをさらに含むときには、ヘッドを作ることなく二次設計の効果を確認することができるため、設計工数の能率化を図ることができる。
【００４２】
また請求項４記載の発明のように、前記振動特性は、周波数応答関数及び振動モードを含むことによって、打球音の詳細な解析が可能となるため、改良点の特定がより一層容易に行える点で特に好ましい。
【００４３】
また請求項５記載の発明のように、前記打球音を採取するステップは、ゴルフクラブヘッドにシャフトを装着してゴルフクラブを試作するステップ、前記ゴルフクラブでゴルフボールを打撃するステップ、及び前記打撃時の音をマイクロフォンにて採取するステップを含み、かつ前記マイクロフォンは、アドレスしたゴルファの耳の高さでかつゴルフボールと前記耳との間の水平距離を、前記ゴルフボールからゴルファと反対側に隔てた位置に設置されることにより、ゴルファが聞き取る打撃音により近い音を採取できる。従って、打球音の解析が可能となる。
【図面の簡単な説明】
【図１】（Ａ）はウッド型ゴルフクラブヘッドの斜視図、（Ｂ）はその解析モデルを視覚化して示した斜視図である。
【図２】本発明の一実施形態を示すフローチャートである。
【図３】一次設計のゴルフクラブヘッドについて行ったモード解析の結果を示すグラフである。
【図４】（Ａ）、（Ｂ）は、特定周波数におけるモード解析結果を示すモード振動図である。
【図５】（Ａ）、（Ｂ）は、特定周波数におけるモード解析結果を示すモード振動図である。
【図６】（Ａ）、（Ｂ）は、特定周波数におけるモード解析結果を示すモード振動図である。
【図７】（Ａ）、（Ｂ）は、特定周波数におけるモード解析結果を示すモード振動図である。
【図８】（Ａ）、（Ｂ）は、特定周波数におけるモード解析結果を示すモード振動図である。
【図９】（Ａ）、（Ｂ）は、特定周波数におけるモード解析結果を示すモード振動図である。
【図１０】（Ａ）、（Ｂ）は、特定周波数におけるモード解析結果を示すモード振動図である。
【図１１】打球音の測定条件を示す線図である。
【図１２】打球音の測定時におけるマイクロフォンの位置を示す線図である。
【図１３】打球音の測定時におけるマイクロフォンの位置を示す線図である。
【図１４】一次設計による試作ヘッドの打球音のパワースペクトルである。
【図１５】二次設計のゴルフクラブヘッドについて行ったモード解析の結果を示すグラフである。
【図１６】（Ａ）、（Ｂ）は、特定周波数におけるモード解析結果を示すモード振動図である。
【図１７】（Ａ）、（Ｂ）は、特定周波数におけるモード解析結果を示すモード振動図である。
【図１８】（Ａ）、（Ｂ）は、特定周波数におけるモード解析結果を示すモード振動図である。
【図１９】（Ａ）、（Ｂ）は、特定周波数におけるモード解析結果を示すモード振動図である。
【図２０】（Ａ）、（Ｂ）は、特定周波数におけるモード解析結果を示すモード振動図である。
【図２１】（Ａ）、（Ｂ）は、特定周波数におけるモード解析結果を示すモード振動図である。
【図２２】一次設計と二次設計とのモード解析結果において、周波数伝達関数のピーク周波数の比較を示す。
【図２３】二次設計による試作ヘッドの打球音のパワースペクトルである。
【図２４】一次設計のヘッドの打球音のウェーブレット解析結果を示すグラフである。
【図２５】二次設計のヘッドの打球音のウェーブレット解析結果を示すグラフである。
【符号の説明】
１  ゴルフクラブヘッド
１Ａ  解析モデル
２ａ、２ｂ、２ｃ  要素
ｍ  マイクロフォン
【図１】
2005006763.tif 000006
【図２】
2005006763.tif 000007
【図３】
2005006763.tif 000008
【図４】
2005006763.tif 000009
【図５】
2005006763.tif 000010
【図６】
2005006763.tif 000011
【図７】
2005006763.tif 000012
【図８】
2005006763.tif 000013
【図９】
2005006763.tif 000014
【図１０】
2005006763.tif 000015
【図１１】
2005006763.tif 000016
【図１２】
2005006763.tif 000017
【図１３】
2005006763.tif 000018
【図１４】
2005006763.tif 000019
【図１５】
2005006763.tif 000020
【図１６】
2005006763.tif 000021
【図１７】
2005006763.tif 000022
【図１８】
2005006763.tif 000023
【図１９】
2005006763.tif 000024
【図２０】
2005006763.tif 000025
【図２１】
2005006763.tif 000026
【図２２】
2005006763.tif 000027
【図２３】
2005006763.tif 000028
【図２４】
2005006763.tif 000029
【図２５】
2005006763.tif 000030